(57)【要約】【課題】  従来のコイン洗浄分別ケースでコインの分別収納が実現されるのは、コインが一定の方向、即ち、分別孔の大きいほうから小さい方向に流れたときのみコインが分別収納され、該コインが逆方向に、即ちコインが小さい分別孔から大きい分別孔の方向に流れて該分別孔を通過した時に、一旦分別されたコインが分別不能状態に成ることを改善する。更に、コインを洗浄する洗剤が液体洗剤の場合の洗浄効率の低下を改善する。【解決手段】コイン分別孔の構造にコインが大きい分別孔から小さい分別孔の方向に移動して、分別収納を達成後、逆方向の小さい分別孔から大きい分別孔の方向にコインが動いても該分別孔を通過させない、逆流防止弁を設置することにより、一旦生じた分別収納状態を崩さず保存する。更にコインの洗剤に液体だけでなく固体及び気体を用い洗浄効率を向上させる。【選択図】図１
2008262382.tif 000002
【特許請求の範囲】
【請求項１】
コインを収容するケーシングと、該ケーシング内に設けられたコインを水平に移動させるコイン移動フロアとコインを分別するコイン分別孔と、コインを洗浄する洗剤を溜める洗剤溜めと、洗剤が出入りする洗剤孔と、コインを投入するための開閉式投入口と、コインを取り出すための開閉蓋と、該開閉蓋及び該投入口と該ケーシングの間隙より洗剤の漏洩を防止するシール部とからなることを特徴とするコイン分別洗浄ケース。
【請求項２】
前記コイン移動フロアは、該ケーシング内の底面に平行して配置され、底面を覆う平滑な板であることを特徴とする請求項１に記載のコイン分別洗浄ケース。
【請求項３】
前記洗剤溜めは、該ケーシングの底面に隣接して配置され、該コイン移動フロアに開けられた洗剤孔を通じて該ケーシング内に洗剤を流入させ、叉は該洗剤孔を通じて該ケーシングから洗剤を回収収納することを特徴とする請求項１記載のコイン分別洗浄ケース。
【請求項４】
前記コイン分別孔は、コインをコインの外径別に分別するコイン分別孔において、孔の形状が、矩形もしくは該矩形を含有する形状及び又は楕円もしくは該楕円を含有する形状であることを特徴とする請求項１記載のコイン分別洗浄ケース。
【請求項５】
前記コイン分別孔の形状である矩形及び又は楕円が、一経済圏に於て流通しうるn種の直径A1,A2,A3,．．．Ai,Ai+1．．．An[mm]を有するコイン群の直径を実長外径といい、該実長外径の大きさの序列が
A1<A2<A3<．．．<Ai<Ai+1．．．<Anであり、
各外径の両端から外径の直線方向にαmmずつあそび長さを付与した外径を実用外径a1,a2,a3,．．．ai,ai+1．．．an[mm]といい、
即ち、
a1=A1+2α
a2=A2+2α
.
.
ai=Ai+2α
ai+1=Ai+1+2α
.
.
an=An+2α
であり、
nは自然数であり、
iは１からｎまでの整数
であるとき、
あそび長さαが
0<α<0.45(Ai+1-Ai)
であり、
長辺Xとその対角線Yが
X=aiであり、  ai<Y<Ai+1
である矩形であること
及び又は長軸Xが
X=ai 
である楕円であることを特徴とする請求項４に記載のコイン分別洗浄ケース。
【請求項６】
前記コイン分別孔は、該分別孔の矩形及び又は楕円の周辺枠の一部が該コイン移動フロアに接する分別孔が、該コイン移動フロア上に該分別孔の大きさの序列に従い少なくとも一個以上設置されていて、該フロアと該分別孔の枠が分別済みコインを収納する分別収納領域を形成することを特徴とする請求項１乃至請求項５に記載のコイン分別洗浄ケース。
【請求項７】
前記コイン分別孔および前記開閉式投入口は、コインの投入及びコインの分別に際し、コインを通過させて後、該コインが該投入口及び該分別孔を逆方向に通過することを防止する逆流防止弁を有することを特徴とする請求項１記載のコイン分別洗浄ケース。
【請求項８】
前記開閉式投入口及び前記開閉蓋は、該ケーシングに対し、開閉運動のためのヒンジと閉鎖固定のための留具を共有することを特徴とする請求項１記載のコイン分別洗浄ケース。
【請求項９】
前記洗剤は、殺菌作用を有する液体、固体及び又は気体であることを特徴とする請求項１記載のコイン分別洗浄ケース。
【請求項１０】
コインを収容する前記ケーシングと、該ケーシング内に設けられたコインを水平に移動させる前記コイン移動フロアと、コインを分別する前記コイン分別孔と、前記コイン分別孔に設置される前記逆流防止弁とコインを投入するための前記開閉式投入口と、コインを取り出すため前記開閉蓋とからなることを特徴とするコイン分別ケース。
【発明の詳細な説明】
【技術分野】
【０００１】
この発明は、コインを洗浄殺菌しながら、大小のコインを分別収納採取できるコイン分別洗浄ケースと、コインが既に清潔な状況に在る場合に大小のコインを分別収納採取できるコイン分別ケースに関する。
【背景技術】
【０００２】
従来のコインケース、特に、登録特許第３５９５８８０号のコイン分別洗浄ケース及びコイン分別ケースには、コインの洗浄殺菌、且つ分別収納の各機能の発現が記載されている。その中でコインの分別機能については、分別孔の特定形状と特定配置の基に、分別孔によりコインを通過させ、あるいはコインをせき止めることにより、コインの分別及び収納が達成されることが記載されている。
更に、コインを洗浄する洗剤に関しては、その洗剤は液体のみが記載されいる。
又、コインの洗浄分別ケーシングに付随するコインの開閉式投入口及びコインを取り出す開閉蓋の記載がある。
【特許文献１】登録特許第３５９５８８０号
【発明の開示】
【発明が解決しようとする課題】
【０００３】
しかしながら、以上の技術によれば、コインの分別収納が実現されるのは、コインが一定の方向、即ち、該分別孔がその大きさの順に配列されていて、該コインが該分別孔の大きいほうから小さい方向に流れたときのみコインが分別収納されるものであり、該コインが逆方向に、即ち該分別孔がその孔サイズの大きさの順に配列している時、コインが小さい分別孔から大きい分別孔の方向に流れて該分別孔を通過した時には、一旦分別されていたコインが、該分別孔を逆流して分別収納状態を崩し、分別収納が不能に成るという問題があった。
そこで、この発明は、前記コイン分別孔の、コインの分別に際し、コインを通過させて分別した後、該コインが該分別孔を逆方向に動いて通過することを防止することを課題とする。
又、ケーシングに付随するコインの開閉式投入口及びコインをケーシングより取り出す開閉蓋については、その開閉機能の該ケーシングと共有する具体的な構造の記載がなく、コインを投入して洗浄分別採取するにあたり、その投入、採取の実効性に問題があった。
そこで、本発明では、該開閉式投入口及び該開閉蓋が、該ケーシングと共有連動して作動することができるコインの投入採取構造を実現することを課題とする。
更に、コインを洗浄殺菌するに当たり、液体以外の洗剤すなわち、固体洗剤及び気体洗剤について用いておらず、コインの洗浄殺菌能力に不足をきたすという問題があった。
そこで、本発明は液体以外の洗剤もコインの洗浄殺菌を実施可能にする固体及び気体洗剤を開発し、コインの洗浄殺菌レベルを向上させることを課題とする。
【課題を解決するための手段】
【０００４】
以上の課題を解決するために、本発明によれば、コインを収容するケーシングと、該ケーシング内に設けられたコインを水平に移動させるコイン移動フロアとコインを分別するコイン分別孔と、コインを洗浄する洗剤を溜める洗剤溜めと、洗剤が出入りする洗剤孔と、コインを投入するための開閉式投入口と、コインを取り出すための開閉蓋と、該開閉蓋及び該投入口と該ケーシングの間隙より洗剤の漏洩を防止するシール部とからなることを特徴とするコイン分別洗浄ケ-スが提供される。本発明の各装備においては、
１，前記コイン移動フロアは、該ケーシング内の底面に平行して配置され、底面を覆う平滑な板であることを特徴とするコイン分別洗浄ケースである。
２，前記洗剤溜めは、該ケーシングの底面に配置され、該コイン移動フロアに開けられた洗剤孔を通じて該ケーシング内に洗剤を流入させ、或は該洗剤孔を通じて該ケーシングから洗剤を回収収納することを特徴とするコイン分別洗浄ケースである。
３，前記コイン分別孔は、コインをコインの外径別に分別するコイン分別孔において、孔の形状が、矩形もしくは該矩形を含有する形状及び又は楕円もしくは該楕円を含有する形状であることを特徴とするコイン分別洗浄ケース。
4,前記コイン分別孔の形状である矩形及び又は楕円が、一経済圏に於て流通しうるn種の直径A1,A2,A3,．．．Ai,Ai+1．．．An[mm]を有するコイン群の直径を実長外径といい、該実長外径の大きさの序列が
A1<A2<A3<．．．<Ai<Ai+1．．．<Anであり、
各外径の両端から外径の直線方向にαmmずつあそび長さを付与した外径を実用外径a1,a2,a3,．．．ai,ai+1．．．an[mm]といい、
即ち、
a1=A1+2α
a2=A2+2α
.
.
ai=Ai+2α
ai+1=Ai+1+2α
.
.
an=An+2α
であり、
nは自然数であり、
iは１からｎまでの整数
であるとき、
あそび長さαが
0<α<0.45(Ai+1-Ai)
であり、
長辺Xとその対角線Yが
X=aiであり、  ai<Y<Ai+1
である矩形であること
及び又は長軸Xが
X=ai 
である楕円であることを特徴とするコイン分別洗浄ケース。
５，前記コイン分別孔は、該分別孔の矩形及び又は楕円の周辺枠の一部が該コイン移動フロアに接する分別孔が、該コイン移動フロア上に該分別孔の大きさの序列に従い少なくとも一個以上設置されていて、該フロアと該分別孔の枠が分別済みコインを収納する分別収納領域を形成することを特徴とするコイン分別洗浄ケースである。
６、前記コイン分別孔および前記開閉式投入口は、コインの投入及びコインの分別に際し、コインを通過させて後、該コインが該投入口及び該分別孔を逆方向に通過することを防止する逆流防止弁を有することを特徴とするコイン分別洗浄ケースである。
７、前記開閉式投入口及び前記開閉蓋は、該ケーシングに対し、開閉運動のためのヒンジと閉鎖固定のための留具を共有することを特徴とするコイン分別洗浄ケースである。
８, 前記洗剤は、殺菌作用を有する液体、固体及び又は気体であることを特徴とするコイン分別洗浄ケースである。
【発明の効果】
【０００５】
本発明によれば、コインの分別収納をつかさどる分別孔の構造にコインが大きい分別孔から小さい分別孔の方向に移動して、分別収納を達成するだけでなく、逆方向の小さい分別孔から大きい分別孔の方向にコインが動いても該分別孔を通過させない、逆流防止弁を設置することにより、コインが逆流しても、一旦生じた分別収納状態が崩れず、分別収納機能を向上させる効果をもたらす。
又、コインを投入または採取するための該ケーシングに付随する開閉式投入口、及び開閉蓋に該ケーシングと共有するヒンジ及び止め具を装備することにより、コインの投入、洗浄、分別、収納及び採取の基本操作の完成度を向上させることができる。
更に、液体だけでなく、固体及び気体の洗浄剤をコインの洗浄殺菌に用いることにより、洗浄効率を向上させることができる。
【発明を実施するための最良の形態】
【０００６】
この発明の一実施形態を、図１に示す。
ケーシングの本体は手のひらに収まる直方体の筐体であり、該ケーシング内に2段のコイン分別孔４及び３が該ケーシングの長軸方向に直角に設置されている。止め具１８を解除して、ヒンジ１７を軸に開けられた開閉式コイン投入口９から投入される大、中、小のコイン群は、投入口９のケーシングの内側に投入口９の中央を横断するように設置された逆流止めの丁字弁10を押し開いてケーシング内に入り、重力と水平方向の手動振動によりコイン移動フロア13上を該フロアに平行に移動し、分別孔４にコインエッジが接触すると、大コインの閉塞滞留と、中、小コインの挿入通過が、逆流止めの丁字弁１４を押し開いてなされコイン分別が生じる。更に通過コインは分別孔３に到り、中コインが留まり、小コインが分別孔３を、逆流止めの丁字弁15を押し開いて通過して、大、中、小のコインが分別収納される。ケーシングの位置変化や、振動などにより、これらコインに投入時と逆方向の移動が生じても、逆流止めの丁字弁10,14,及び15により遮断され、一度通過した投入口９、分別孔４及び分別孔３を再度通過することはなく、これら大、中、小のコイン群の分別収納状態は保存される。次に該ケーシングを長軸の回りに180度半回転させることで該ケーシング頭部６とケーシング底面に設置された洗剤溜め７から洗剤がコイン移動フロア１３に開けられた洗剤孔８を通ってケーシング内に流入し、移動中のコインに触れてコインを洗浄殺菌する。該洗剤は開閉蓋２と該ケーシングの間隙に位置されたシール部５及び、開閉式投入口９の開閉蓋１９とケーシングの間隙に配置されたシール部１６によりシールされ、外部に漏洩しない。更に、洗剤の乾燥揮散も防止される。次にケーシング本体を再度その長軸の回りに１８０度半回転させ、水平振動を加えることにより、洗剤は、洗剤孔8を通り洗剤溜め7に回収される。次にケーシング内のコインの分別洗浄状態は透明な開閉蓋２を通して観察され、洗剤と大、中、小のコイン群とが分離した後、ケーシングを水平状態に保ち、ケーシングの透明開閉蓋２の留め具11が解除されると、ヒンジ12を回転軸にして開閉蓋２が開けられ、分別洗浄殺菌されたコインが計数採取される。
該洗剤には30%エタノール水溶液が洗剤溜め容量の約90%程度の容量で用いられる。  
【０００７】
「実施形態の効果」
この実施形態によれば、コイン分別孔の断面は矩形であり、その長辺Xがiコインの実用外径aiであり、その対角線Yが  ai<Y<Ai+1で、iコインの実用外径aiよりおおきく、iコインの次に大きいi+1コインの実長外径Ai+1より小さいことにより、該分別孔はi以下のコインとi+1以上のコインを分別する。即ちi以下のコインを通過させ、i+1以上のコインを留める。
日本国内で流通する各種コインの実長外径と実用外径の実施範囲と実施例と、コイン分別孔の諸寸法の実施範囲と実施例を図２の表１に示す。但し、コインが分別孔を通過しやすくするあそび長さαをα＝0.2(Ai+1-Ai)とした。
日本でのコイン実長外径の序列は1円＜50円＜5円＜100円＜10円＜500円である。
図１の上部分別孔４は図２の表１の分別孔No.4の矩形分別孔で500円と10円のコインを留め、100円,5円,50円,及び１円のコインを通過させることができる。
更に、下部分別孔３は、図２の表１の分別孔No.2の矩形分別孔で100円及び5円のコインを留め、50円及び1円のコインを通過させることができる。
この結果、該六種のコイン群を三区分に分別収納することができる。
以上の三区分の分別収納状態は、ケーシングがどのような位置状態に置かれても、逆流防止弁１０,１４、及び１５の働きで、保持され、且つ分別不能になることはない。
図１のごとく、該ケーシングを操作(1がケーシング下方、６がケーシング上方に成るように)するコイン分別操作が同時に、コインの洗液殺菌を促進させ、叉、該ケーシングを水平にし(１と６を同等の高さか、１を６より僅かに高める)、該開閉蓋２を開けコインを計数採取する操作が同時に、洗剤の洗剤溜め７への回収収納の操作になることにより、
殺菌洗浄されたコインの計数採取が実質的に簡便に達成され繰り返される。
【０００８】
「他の実施形態」
図１の実施形態では、洗剤について、洗液に３０％エタノール水溶液が洗液溜めの容量の約90%の容量で用いられたが、他の実施形態では、８０％エタノール水溶液、エタノール100ml中に塩化ベンザルコニウムを0.1g含有する塩化ベンザルコニウムエタノール溶液、カチオン系あるいは両性界面活性剤の0.02%〜0.5%液、ヨウ素を25〜100ppm含有するヨウ素系液体、あるいはカテキン水溶液などコイン及び人間の指先に対し殺菌洗浄作用があり、洗液溜めに収納して流動性を発揮する液体であればどのようなものでも良い。
更に洗剤として抗菌性の昇華性固体であるパラクロロメタキシレノールを１〜５％含有した粒子径２乃至４mmφの粒体、あるいは揮発性液体である抗菌性精油を含有した粒径２乃至４mmφの粒体は、抗菌性気体をケーシング内で発生し、シール部の働きで、ケーシング外へ漏洩することがなく、コインを殺菌する。次いで該粒体は液体洗剤と同様な動きで、洗剤溜めから洗剤孔を通り、コインに接触してコインの表面を擦り、コインに洗浄殺菌作用を及ぼす。その後再度該洗剤孔を通り該洗剤溜めに回収され該コインと分離することができる。これら固体洗剤は特に粒状成形体として用いた場合、液体の洗剤に比べ、コインの乾燥、過剰濡れを回避でき、洗浄殺菌効率を向上させ且つ洗浄操作を簡便化することが出来る。
更に、コインが以上の様な洗浄殺菌剤で既に洗浄殺菌されているような、清潔な状況に在る場合は、該コイン分別洗浄ケースから洗浄装備を除いた、本発明のコインの分別収納機能のみを有するコイン分別ケースであってもよい。
【図面の簡単な説明】
【０００９】
【図１】この発明の一実施形態を示す斜視図とコイン投入口周囲の立面図である。
【図２】この発明の一実施形態を示す日本国内に流通しているコイン群とコイン分別孔の形状寸法と該形状寸法の実施範囲及び実施例を示す表１である。
【符号の説明】
【００１０】
１  ケーシング下方側面
２  コイン取出透明開閉蓋  
３  コイン分別孔（図２表１N0.2矩形分別孔）  
４  コイン分別孔（図２表１N0.4矩形分別孔）  
５  コイン取り出し開閉蓋のシール部  
６  ケーシング上方側面  
７  洗剤溜め  
８  洗剤孔    
９  開閉式コイン投入口    
10 投入口９の逆流防止弁
１１開閉蓋用留め具
１２開閉蓋用ヒンジ
１３コイン移動フロア
１４コイン分別孔４の逆流防止弁
１５コイン分別孔３の逆流防止弁
１６開閉式コイン投入口のシール部
１７開閉式コイン投入口の開閉蓋のヒンジ
１８開閉式コイン投入口の開閉蓋の止め具
１９開閉式コイン投入口の開閉蓋
【図１】
2008262382.tif 000003
【図２】
2008262382.tif 000004